(57)【要約】【課題】共振周波数にバラツキが少ないアンテナ装置を提供する。【解決手段】ヘリカルコイル３０とその基端側で軸心上に直線部３２を導電線材で形成し、直線部３２の遊端側を導電材からなるジョイント３４に挿入しカシメて固定して電気的接続する。ヘリカルコイル３０およびジョイント３４の一部分をインサートして、絶縁樹脂でボビン３６を一体成形する。このボビン３６に、直線部３２またはジョイント３４に臨んで、ジョイント３４側の径が小さくヘリカルコイル３０側の径が大きい段差３６ａを形成する。ジョイント３４の露出部を導電材からなるスリーブ１６に、段差３６ａにより挿入を規制して嵌合挿入し電気的接続する。ヘリカルコイル３０は、スリーブ１６の先端縁Ｐよりも挿入されないようにする。スリーブ１６の先端側部分およびボビン３６をインサートして、絶縁樹脂でこれらを覆うカバー２０を一体成形する。【選択図】　図４
2004140582.tif 000002
【特許請求の範囲】
【請求項１】
ヘリカルコイルとその基端側で軸心上に直線部を導電線材で形成し、前記直線部の遊端側を導電材からなるジョイントに挿入してカシメて固定するとともに電気的接続し、前記ヘリカルコイルおよび前記ジョイントの一部分をインサートして絶縁樹脂でボビンを一体成形し、前記ジョイントの露出部を導電材からなるスリーブに嵌合挿入して電気的接続し、しかも前記ヘリカルコイルを前記スリーブに挿入しないようにして構成したことを特徴とするアンテナ装置。
【請求項２】
請求項１記載のアンテナ装置において、前記ボビンに、前記直線部または前記ジョイントに臨んで、前記ジョイント側の径が小さく前記ヘリカルコイル側の径が大きい段差を形成し、前記段差により前記スリーブへの挿入を規制するように構成したことを特徴とするアンテナ装置。
【請求項３】
請求項１または２記載のアンテナ装置において、前記スリーブの先端側部分および前記ボビンをインサートして、絶縁樹脂で前記スリーブおよび前記ボビンを覆うカバーを一体成形して構成したことを特徴とするアンテナ装置。
【発明の詳細な説明】
【０００１】
【発明の属する技術分野】
本発明は、共振周波数のバラツキが少ないアンテナ装置に関するものである。
【０００２】
【従来の技術】
従来のアンテナ装置の一例を図５ないし図７を参照して説明する。図５は、従来のアンテナ装置の一例のヘリカルコイルを固定したボビンをスリーブに組み付ける前の状態を示す図である。図６は、ヘリカルコイルを固定したボビンをスリーブに組み付けた状態を示す図である。図７は、組み付けたスリーブの先端側部分およびヘリカルコイルを固定したボビンをカバーで覆った縦断面図である。
【０００３】
図５において、導電線材を粗巻きした部分ａでヘリカルコイル１０が形成され、その基端側に密着巻きした部分ｂでジョイント部１２が形成される。そして、ヘリカルコイル１０とジョイント部１２がインサートされて絶縁樹脂によりボビン１４が一体成形される。このボビン１４により、ヘリカルコイル１０とジョイント部１２は固定されている。なお、ジョイント部１２の外周部は、露出した状態にある。そして、導電材からスリーブ１６内にジョイント部１２が圧入などにより、図６のごとく、嵌合挿入され、ジョイント部１２の露出部分が当接して電気的接続されるとともに固定される。このスリーブ１６には、図示しないロッドアンテナの先端側に同軸上に伸延させて設けられた絶縁棒状部材１８が抜けないように適宜に配設される。さらに、組み付けられたスリーブ１６とボビン１６がインサートされて、スリーブ１６の先端側部分とボビン１４の全体を覆うように、図７のごとく、絶縁樹脂によりカバー２０が一体成形される。
【０００４】
【発明が解決しようとする課題】
上記従来技術のアンテナ装置にあっては、ヘリカルコイル１０として作用する部分は、図６において、スリーブ１６の先端縁Ｐより先端側部分である。ここで、ボビン１４を成形する際に、ヘリカルコイル１０には樹脂の金型内への噴出圧力が加わり、そのピッチが変形される場合がある。その結果、スリーブ１６の先端縁Ｐより先端側部分のヘリカルコイル１０の電気長にバラツキが生じていた。特に、スリーブ１６の先端縁Ｐ付近でのヘリカルコイル１０のピッチの変化は、ヘリカルコイル１０として作用する電気長を大きく変化させる。
【０００５】
上記従来技術のアンテナ装置を無作為に５０個取り出して、その共振周波数を測定したところ、最大値は２１８６ＭＨｚであり最小値は２０８５ＭＨｚであり、平均値は２１６０ＭＨｚであった。そして、最大値と最小値の幅は１０１ＭＨｚであり、その標準偏差は１９．５ＭＨｚであった。
【０００６】
本発明は、上述のごとき従来技術のアンテナ装置では共振周波数にバラツキが多く生ずるという不具合を改善すべくなされたもので、共振周波数にバラツキが少ないアンテナ装置を提供することを目的とする。
【０００７】
【課題を解決するための手段】
かかる目的を達成するために、本発明のアンテナ装置は、ヘリカルコイルとその基端側で軸心上に直線部を導電線材で形成し、前記直線部の遊端側を導電材からなるジョイントに挿入してカシメて固定するとともに電気的接続し、前記ヘリカルコイルおよび前記ジョイントの一部分をインサートして絶縁樹脂でボビンを一体成形し、前記ジョイントの露出部を導電材からなるスリーブに嵌合挿入して電気的接続し、しかも前記ヘリカルコイルを前記スリーブに挿入しないようにして構成されている。
【０００８】
そして、前記ボビンに、前記直線部または前記ジョイントに臨んで、前記ジョイント側の径が小さく前記ヘリカルコイル側の径が大きい段差を形成し、前記段差により前記スリーブへの挿入を規制するように構成しても良い。
【０００９】
さらに、前記スリーブの先端側部分および前記ボビンをインサートして、絶縁樹脂で前記スリーブおよび前記ボビンを覆うカバーを一体成形して構成することもできる。
【００１０】
【発明の実施の形態】
以下、本発明の実施例を図１ないし図４を参照して説明する。図１は、ヘリカルコイルとその基端側に設けた直線部をジョイントに組み付ける前の状態を示す図である。図２は、ジョイントに組み付けられたヘリカルコイルをボビンで固定したものをスリーブに組み付ける前の状態を示す図である。図３は、ヘリカルコイルを固定したボビンをスリーブに組み付けた状態を示す図である。図４は、組み付けたスリーブの先端側部分およびヘリカルコイルを固定したボビンをカバーで覆った縦断面図である。図１ないし図４において、図５ないし図７に示す部材と同じまたは均等なものには、同じ符号を付けて重複する説明を省略する。
【００１１】
図１において、導電線材を粗巻きしたヘリカルコイル３０が形成され、その基端側で軸心上に遊端を基端側に向けて直線部３２が連続して形成される。この直線部２２の遊端側が、導電材からなるジョイント３４に挿入され、カシメられて固定されるとともに電気的接続される。さらに、ヘリカルコイル３０とジョイント３４が組み付けられたものが、インサートされ、絶縁樹脂からなるボビン３６が一体成形される。なお、ジョイント３４の一部の外周部は露出された状態とされる。このボビン３６には、直線部３２またはジョイント３４に臨んで、ヘリカルコイル３０側の径が大きくジョイント３４側の径が小さい段差３６ａが設けられる。そして、図２のごとく、ジョイント３４がスリーブ１６内に圧入などにより嵌合挿入されて、図３のごとき状態とされ、ジョイント３４の露出部がスリーブ１６に当接して電気的接続されるとともに固定される。しかも、ジョイント３４の挿入に際して、スリーブ１６の先端縁Ｐにボビン３６の段差３６ａが当接し、挿入方向への移動を規制して位置決めがなされる。ここで、ボビン３６の段差３６ａはヘリカルコイル３０より基端側に設けられ、図３に示すごとく、スリーブ１６の先端縁Ｐが直線部３２またはジョイント３４に臨む位置にあり、ヘリカルコイル３０がスリーブ１６内に挿入された相対位置とならないように構成される。さらに、図３のごとく組み付けられたものがインサートされて、図４のごとくスリーブ１６の先端部分とヘリカルコイル３０全体が絶縁樹脂からなる一体成形されたカバー２０で覆われる。
【００１２】
かかる構成において、スリーブ１６の先端縁Ｐは、ヘリカルコイル３０より基端側にあるので、ボビン３６の成形の際に、ヘリカルコイル３０のピッチが若干変動しても、ヘリカルコイル３０として作用する電気長が大きく変動することがない。
【００１３】
本発明のアンテナ装置を無作為に５０個取り出して、その共振周波数を測定したところ、最大値は２１４２ＭＨｚであり最小値は２１００ＭＨｚであり、平均値は２１２７ＭＨｚであった。そして、最大値と最小値の幅は４２ＭＨｚであり、その標準偏差は９．６ＭＨｚである。この測定結果から明らかなごとく、本発明のアンテナ装置は、図５ないし図７に示す従来技術のアンテナ装置に比べて共振周波数のバラツキが少ない。
【００１４】
なお、上記実施例は、携帯電話機の筐体に引き出し収納自在なロッドアンテナの先端側に設けられるヘリカルアンテナに、本発明のアンテナ装置を適応させた構造で説明したが、これに限られず、スリーブ１６またはスリーブ１６に相当する導電金具が筐体に固定される構造であっても良い。そして、ヘリカルコイル３０の巻数とピッチおよび巻径は所望の共振周波数に応じて適宜に設定することは勿論である。
【００１５】
【発明の効果】
以上説明したように、本発明のアンテナ装置は構成されているので、以下のごとき格別な効果を奏する。
【００１６】
請求項１記載のアンテナ装置にあっては、ヘリカルコイルの基端側に設けた直線部またはこの直線部に組み付けられたジョイントに、スリーブの先端縁が臨むように構成されているので、ボビンの成形の際にヘリカルコイルのピッチが若干変動したとしてもヘリカルコイルとして作用する電気長に大きな変動がない。その結果、共振周波数のバラツキを少なくすることができる。
【００１７】
請求項２記載のアンテナ装置にあっては、ボビンに設けた段差で、スリーブへの挿入規制をして位置決めがなされるので、ヘリカルコイルとスリーブの相対位置が一定となり、それだけ共振周波数が安定したものとなる。
【００１８】
請求項３記載のアンテナ装置あっては、スリーブの先端部分およびボビンの全体を一体成形したカバーで覆うので、スリーブに対するボビンの相対位置が変化することがなく、共振周波数も変化することがない。
【図面の簡単な説明】
【図１】ヘリカルコイルとその基端側に設けた直線部をジョイントに組み付ける前の状態を示す図である。
【図２】ジョイントに組み付けられたヘリカルコイルをボビンで固定したものをスリーブに組み付ける前の状態を示す図である。
【図３】ヘリカルコイルを固定したボビンをスリーブに組み付けた状態を示す図である。
【図４】組み付けたスリーブの先端側部分およびヘリカルコイルを固定したボビンをカバーで覆った縦断面図である。
【図５】従来のアンテナ装置の一例のヘリカルコイルを固定したボビンをスリーブに組み付ける前の状態を示す図である。
【図６】ヘリカルコイルを固定したボビンをスリーブに組み付けた状態を示す図である。
【図７】組み付けたスリーブの先端側部分およびヘリカルコイルを固定したボビンをカバーで覆った縦断面図である。
【符号の説明】
１０，３０　ヘリカルコイル
１４，３６　ボビン
１６　スリーブ
２０　カバー
３２　直線部
３４　ジョイント
３６ａ　段差
【図１】
2004140582.tif 000003
【図２】
2004140582.tif 000004
【図３】
2004140582.tif 000005
【図４】
2004140582.tif 000006
【図５】
2004140582.tif 000007
【図６】
2004140582.tif 000008
【図７】
2004140582.tif 000009